(57)【要約】【課題】スマートフォン用ＵＳＢコネクタを提供する。【解決手段】本発明に係るスマートフォン用ＵＳＢコネクタは、コネクタケーブルの一端に接続されたフォンデータターミナルが、そのポート挿入部が外側に突出するように結合した第１ターミナル結合ボディーと、前記コネクタケーブルの他端に接続されたＵＳＢターミナルが、そのポート挿入部が外側に突出するように結合した第２ターミナル結合ボディーと、前記フォンデータターミナルのポート挿入部と前記ＵＳＢターミナルのポート挿入部が向かい合うように前記第１ターミナル結合ボディーと前記第２ターミナル結合ボディーとが重ね合わされた状態で、向かい合うポート挿入部をすべてカバーしながら、重ね合わされた第１ターミナル結合ボディーおよび第２ターミナル結合ボディーに結合するターミナルカバーとを含むことを特徴とする。【選択図】図１
2016177983.tif 000002
【特許請求の範囲】
【請求項１】
コネクタケーブルの一端に接続されたフォンデータターミナルが、そのポート挿入部が外側に突出するように結合した第１ターミナル結合ボディーと、
前記コネクタケーブルの他端に接続されたＵＳＢターミナルが、そのポート挿入部が外側に突出するように結合した第２ターミナル結合ボディーと、
前記フォンデータターミナルのポート挿入部と前記ＵＳＢターミナルのポート挿入部が向かい合うように前記第１ターミナル結合ボディーと前記第２ターミナル結合ボディーとが重ね合わされた状態で、向かい合うポート挿入部をすべてカバーしながら、重ね合わされた第１ターミナル結合ボディーおよび第２ターミナル結合ボディーに結合するターミナルカバーとを含むことを特徴とする、スマートフォン用ＵＳＢコネクタ。
【請求項２】
前記第１ターミナル結合ボディーと前記第２ターミナル結合ボディーそれぞれには、重ね合わされた状態で互いに突き合わせられる突き合わせ面が備えられ、
前記第１ターミナル結合ボディーと前記第２ターミナル結合ボディーそれぞれの突き合わせ面のうち、一方側には嵌合突起が設けられ、他方側には前記嵌合突起に嵌合される嵌合凹部が設けられることを特徴とする、請求項１に記載のスマートフォン用ＵＳＢコネクタ。
【請求項３】
互いに重ね合わされた状態での前記第１ターミナル結合ボディーと前記第２ターミナル結合ボディーは、外側に突出して向かい合うポート挿入部が突出した側の縁部が前記ターミナルカバーの入口に挿入されることにより、前記ターミナルカバーに結合することを特徴とする、請求項１に記載のスマートフォン用ＵＳＢコネクタ。
【請求項４】
前記ターミナルカバーの入口の内側縁と、互いに重ね合わされた状態で前記ターミナルカバーの入口に挿入される前記第１ターミナル結合ボディーおよび前記第２ターミナル結合ボディーの縁部のうち、一方側には係止突起が設けられ、他方側には係止溝が設けられることを特徴とする、請求項３に記載のスマートフォン用ＵＳＢコネクタ。
【請求項５】
前記第１ターミナル結合ボディーおよび前記第２ターミナル結合ボディーは、互いに重ね合わされた状態で円柱状となるように形成されることを特徴とする、請求項３に記載のスマートフォン用ＵＳＢコネクタ。
【請求項６】
前記ターミナルカバーの入口の内側縁には雌ねじが形成され、
互いに重ね合わされた状態で前記ターミナルカバーの入口に挿入される前記第１ターミナル結合ボディーおよび前記第２ターミナル結合ボディーの縁部には、前記ターミナルカバーの入口の内側縁に形成された雌ねじに螺合される雄ねじが形成されることを特徴とする、請求項５に記載のスマートフォン用ＵＳＢコネクタ。
【請求項７】
前記コネクタケーブルが二重に重ね合わされるように折り畳まれた状態で、その重ね合わされた部分を締め付けるように挿入される締め付けリングをさらに含むことを特徴とする、請求項１〜６のいずれか１項に記載のスマートフォン用ＵＳＢコネクタ。
【請求項８】
前記コネクタケーブルが二重に重ね合わされるように折り畳まれた状態で、その折り畳まれた部分に結合するケーブルフォルダーをさらに含み、
前記ケーブルフォルダーは、
前記コネクタケーブルが二重に重ね合わされるように折り畳まれた状態で、その折り畳まれた部分の両分岐それぞれが挿入される一対の通過ホールを有するフォルダーボディーと、
前記通過ホールそれぞれに両分岐それぞれが挿入された状態で、前記コネクタケーブルの折り畳まれた部分をカバーするように前記フォルダーボディーに結合するフォルダーカバーとから構成されることを特徴とする、請求項１〜６のいずれか１項に記載のスマートフォン用ＵＳＢコネクタ。
【請求項９】
一端が前記ケーブルフォルダーに連結され、他端は前記スマートフォンに連結される連結ワイヤーをさらに含むことを特徴とする、請求項８に記載のスマートフォン用ＵＳＢコネクタ。
【請求項１０】
前記連結ワイヤーの他端には、スマートフォンに設けられたピンホールに挿着される挿入ピンが連結され、
前記連結ワイヤーの他端と前記スマートフォンとの連結は、前記挿入ピンを前記スマートフォンの前記ピンホールに挿入することにより行われることを特徴とする、請求項９に記載のスマートフォン用ＵＳＢコネクタ。
【発明の詳細な説明】
【技術分野】
【０００１】
本発明は、スマートフォン用ＵＳＢコネクタに係り、より詳しくは、スマートフォンのデータポートとコンピュータなどのＵＳＢポートとを相互接続することができるようにケーブルの両端それぞれに接続されたフォンデータターミナルとＵＳＢターミナルがそれぞれターミナル結合ボディーに収容され、両ターミナル結合ボディーの結合でターミナルおよびケーブルをコンパクトに折り畳むことができるため、携帯および保管が容易であるうえ、スマートフォン用アクセサリーとして使用できる、スマートフォン用ＵＳＢコネクタに関する。
【背景技術】
【０００２】
スマートフォンは、音声通話だけでなく、無線インターネット接続機能を持つ多機能携帯電話である。スマートフォンは、別のオペレーティングシステム（ＯＳ；Ｏｐｅｒａｔｉｎｇ  Ｓｙｓｔｅｍ）を有し、タッチおよびメモが可能であり、写真撮影やスケジュール管理などのＰＤＡと同様の様々な機能付である。
【０００３】
このように、スマートフォンが従前の単純通話機能だけでなく、カメラで撮影したデータまたはメディアファイルの転送機能を果たすためには、スマートフォンをコンピュータなどの他のＩＴ機器に相互接続することが可能なコネクタが必要不可欠である。
【０００４】
前述のように各種情報を送受信したり充電または機能アップグレードを行ったりすることができるように、スマートフォンは、プラグイン接続が可能なユニバーサルシリアルバス（ｕｎｉｖｅｒｓａｌ  ｓｅｒｉａｌ  ｂｕｓ）規格のコネクタ接続のための１２ピン、１６ピン、２４ピンなどからなるデータポートを備えており、スマートフォンは、スマートフォン用ＵＳＢコネクタによってコンピュータなどの他の機器と相互接続される。
【０００５】
ところが、このようなスマートフォン用ＵＳＢコネクタは、スマートフォンに比べて使用頻度が比較的少なく、長いケーブルのため持ち運びが不便であるから、主に家庭やオフィスで使用および保管される。
【０００６】
これにより、必要の際にスマートフォン用ＵＳＢコネクタを探すために時間を費やすうえ、外出の際にノートパソコンなどの無線コンピュータに接続しようと携帯するには長いケーブルを何度も折り畳んだり巻いたりしなければならず、両ターミナルが露出して携帯が不便であるという問題点がある。さらに、前述のように折り畳んだり巻いたりした状態で、スマートフォン用ＵＳＢコネクタは、外観が滑らかでないため通常別個の袋に入れて携帯しなければならず、場合によっては紛失するおそれが高いため携帯に多くの注意を要求している。
【発明の概要】
【発明が解決しようとする課題】
【０００７】
本発明は、かかる問題点を認識してなされたもので、その目的は、スマートフォンのデータポートとコンピュータなどのＵＳＢポートとを相互接続することができるようにケーブルの両端それぞれに接続されたフォンデータターミナルとＵＳＢターミナルがそれぞれターミナル結合ボディーに収容され、両ターミナル結合ボディーの結合でターミナルおよびケーブルをコンパクトに折り畳むことができるため、携帯および保管が容易であるうえ、スマートフォン用アクセサリーとして使用できる、スマートフォン用ＵＳＢコネクタを提供することである。
【課題を解決するための手段】
【０００８】
上記目的を達成するために、本発明に係るスマートフォン用ＵＳＢコネクタは、コネクタケーブルの一端に接続されたフォンデータターミナルが、そのポート挿入部が外側に突出するように結合した第１ターミナル結合ボディーと、前記コネクタケーブルの他端に接続されたＵＳＢターミナルが、そのポート挿入部が外側に突出するように結合した第２ターミナル結合ボディーと、前記フォンデータターミナルのポート挿入部と前記ＵＳＢターミナルのポート挿入部が向かい合うように前記第１ターミナル結合ボディーと前記第２ターミナル結合ボディーとが重ね合わされた状態で、向かい合うポート挿入部をすべてカバーしながら、重ね合わされた第１ターミナル結合ボディーおよび第２ターミナル結合ボディーに結合するターミナルカバーとを含むことを特徴とする。
【０００９】
また、本発明に係るスマートフォン用ＵＳＢコネクタにおいて、前記第１ターミナル結合ボディーと第２ターミナル結合ボディーそれぞれには、重ね合わされた状態で互いに突き合わせられる突き合わせ面が備えられ、前記第１ターミナル結合ボディーと第２ターミナル結合ボディーそれぞれの突き合わせ面のうち、一方側には嵌合突起が設けられ、他方側には前記嵌合突起に嵌合される嵌合凹部が設けられることを特徴とする。
【００１０】
また、本発明に係るスマートフォン用ＵＳＢコネクタにおいて、互いに重ね合わされた状態での前記第１ターミナル結合ボディーと第２ターミナル結合ボディーは、外側に突出して向かい合うポート挿入部が突出した側の縁部が前記ターミナルカバーの入口に挿入されることにより、前記ターミナルカバーに結合することを特徴とする。
【００１１】
また、本発明に係るスマートフォン用ＵＳＢコネクタにおいて、前記ターミナルカバーの入口の内側縁と、互いに重ね合わされた状態で前記ターミナルカバーの入口に挿入される前記第１ターミナル結合ボディーおよび第２ターミナル結合ボディーの縁部のうち、一方側には係止突起が設けられ、他方側には係止溝が設けられることを特徴とする。
【００１２】
また、本発明に係るスマートフォン用ＵＳＢコネクタにおいて、前記第１ターミナル結合ボディーおよび第２ターミナル結合ボディーは、互いに重ね合わされた状態で円柱状となるように形成されることを特徴とする。
【００１３】
また、本発明に係るスマートフォン用ＵＳＢコネクタにおいて、前記ターミナルカバーの入口の内側縁には雌ねじが形成され、互いに重ね合わされた状態で前記ターミナルカバーの入口に挿入される前記第１ターミナル結合ボディーおよび第２ターミナル結合ボディーの縁部には、前記ターミナルカバーの入口の内側縁に形成された雌ねじに螺合される雄ねじが形成されたことを特徴とする。
【００１４】
また、本発明に係るスマートフォン用ＵＳＢコネクタにおいて、前記コネクタケーブルが二重に重ね合わされるように折り畳まれた状態で、その重ね合わされた部分が締め付けられるように挿入される締め付けリングをさらに含むことを特徴とする。
【００１５】
また、本発明に係るスマートフォン用ＵＳＢコネクタにおいて、前記コネクタケーブルが二重に重ね合わされるように折り畳まれた状態で、その折り畳まれた部分に結合するケーブルフォルダーをさらに含むが、前記ケーブルフォルダーは、前記コネクタケーブルが二重に重ね合わされるように折り畳まれた状態で、その折り畳まれた部分の両分岐それぞれが挿入される一対の通過ホールを有するフォルダーボディーと、前記通過ホールそれぞれに両分岐それぞれが挿入された状態で、前記コネクタケーブルの折り畳まれた部分をカバーするように前記フォルダーボディーに結合するフォルダーカバーとから構成されることを特徴とする。
【００１６】
また、本発明に係るスマートフォン用ＵＳＢコネクタにおいて、一端が前記ケーブルフォルダーに連結され、他端は前記スマートフォンに連結される連結ワイヤーをさらに含むことを特徴とする。
【００１７】
また、本発明に係るスマートフォン用ＵＳＢコネクタにおいて、前記連結ワイヤーの他端には、スマートフォンに設けられたピンホールに挿着される挿入ピンが連結され、前記連結ワイヤーの他端と前記スマートフォンとの連結は、前記挿入ピンを前記スマートフォンの前記ピンホールに挿入することにより行われることを特徴とする。
【発明の効果】
【００１８】
前述したような構成によって、本発明に係るスマートフォン用ＵＳＢコネクタは、スマートフォンのデータポートとコンピュータなどのＵＳＢポートとを相互接続することができるようにケーブルの両端それぞれに接続されたフォンデータターミナルとＵＳＢターミナルがそれぞれターミナル結合ボディーに収容され、両ターミナル結合ボディーの結合でターミナルおよびケーブルをコンパクトに折り畳むことができるため、携帯および保管が容易であるうえ、スマートフォン用アクセサリーとして使用できるという利点を持つ。
【図面の簡単な説明】
【００１９】
【図１】本発明の第１実施形態に係るスマートフォン用ＵＳＢコネクタを示す斜視図である。
【図２】本発明の第１実施形態に係るスマートフォン用ＵＳＢコネクタを示す分解斜視図である。
【図３】本発明の第１実施形態に係るスマートフォン用ＵＳＢコネクタのターミナル結合ボディーを示す斜視図である。
【図４】本発明の第１実施形態に係るスマートフォン用ＵＳＢコネクタのターミナル結合ボディーを示す斜視図である。
【図５】本発明の第１実施形態に係るスマートフォン用ＵＳＢコネクタの断面を示す断面図である。
【図６】スマートフォンとコンピュータのデータ通信のために、本発明の第１実施形態に係るスマートフォン用ＵＳＢコネクタを用いてスマートフォンとコンピュータとを接続した状態を示す斜視図である。
【図７】本発明の第１実施形態に係るスマートフォン用ＵＳＢコネクタがスマートフォンにリングで連結された状態を示す斜視図である。
【図８】本発明の第２実施形態に係るスマートフォン用ＵＳＢコネクタを示す斜視図である。
【発明を実施するための形態】
【００２０】
以下、添付図面に基づいて、本発明の実施形態に係るスマートフォン用ＵＳＢコネクタをより詳細に説明する。
【００２１】
図１〜図７は本発明の第１実施形態に係るスマートフォン用ＵＳＢコネクタを示すものである。図１は本発明の第１実施形態に係るスマートフォン用ＵＳＢコネクタを示す斜視図、図２は本発明の第１実施形態に係るスマートフォン用ＵＳＢコネクタを示す分解斜視図、図３および図４は本発明の第１実施形態に係るスマートフォン用ＵＳＢコネクタのターミナル結合ボディーを示す斜視図、図５は本発明の第１実施形態に係るスマートフォン用ＵＳＢコネクタの断面を示す断面図、図６はスマートフォンとコンピュータのデータ通信のために、本発明の第１実施形態に係るスマートフォン用ＵＳＢコネクタを用いてスマートフォンとコンピュータを接続した状態を示す斜視図、図７は本発明の第１実施形態に係るスマートフォン用ＵＳＢコネクタがスマートフォンにリングで連結された状態を示す斜視図である。
【００２２】
図１〜図７を参照すると、本発明の第１実施形態に係るスマートフォン用ＵＳＢコネクタは、両端それぞれにフォンデータターミナル２とＵＳＢターミナル３が接続されたコネクタケーブル１、フォンデータターミナル２が収容される第１ターミナル結合ボディー４、ＵＳＢターミナル３が収容される第２ターミナル結合ボディー５、ターミナルカバー６、締め付けリング７、ケーブルフォルダー８、および連結ワイヤー９を含む。
【００２３】
前記コネクタケーブル１は、ユニバーサルシリアルバス（ｕｎｉｖｅｒｓａｌ  ｓｅｒｉａｌ  ｂｕｓ）規格の通信のための通信ケーブルであって、両端それぞれにフォンデータターミナル２とＵＳＢターミナル３が接続される。
【００２４】
前記フォンデータターミナル２は、ターミナルボディー部２１が前記コネクタケーブル１の一端に接続され、前記ターミナルボディー部２１から一方に突出したポート挿入部２２がデータポートＳ１に挿入されてスマートフォンＳに接続される。前記フォンデータターミナル２は、ポート挿入部２２が外側に突出し、ターミナルボディー部２１が前記第１ターミナル結合ボディー４の内部に収容されて前記第１ターミナル結合ボディー４に結合する。
【００２５】
前記ＵＳＢターミナル３は、ターミナルボディー部３１が前記コネクタケーブル１の他端に接続され、前記ターミナルボディー部３１から一方に突出したポート挿入部３２がＵＳＢポートＣ１に挿入されてコンピュータＣなどの機器に接続される。前記フォンデータターミナル２と同様に、前記ＵＳＢターミナル３は、ポート挿入部３２が外側に突出し、ターミナルボディー部３１が前記第２ターミナル結合ボディー５の内部に収容されて前記第２ターミナル結合ボディー５と結合する。
【００２６】
前記フォンデータターミナル２とＵＳＢターミナル３がそれぞれ結合した前記第１ターミナル結合ボディー４および前記第２ターミナル結合ボディー５は、互いに結合した状態で動物や柱などの特定の形を形成することが可能な形状を持つように形成されるが、通常、互いに対称な形状を持つように形成されることが好ましい。図面は、前記第１ターミナル結合ボディー４と前記第２ターミナル結合ボディー５が互いに結合した状態で略円柱状となるように、それぞれが断面半円形の形状を持つように形成された実施形態を示すものである。
【００２７】
上述したように、前記第１ターミナル結合ボディー４には、フォンデータターミナル２のポート挿入部２２が外側に突出し且つフォンデータターミナル２のターミナルボディー部２１が前記第１ターミナル結合ボディー４の内部に収容されるように前記フォンデータターミナル２が結合する。第１ターミナル結合ボディー４と同様に、前記第２ターミナル結合ボディー５には、ＵＳＢターミナル３のポート挿入部３２が外側に突出し且つＵＳＢターミナル３のターミナルボディー部３１が前記第２ターミナル結合ボディー５の内部に収容されるように前記ＵＳＢターミナル３が結合する。
【００２８】
上述したように、前記フォンデータターミナル２とＵＳＢターミナル３がそれぞれ結合した前記第１ターミナル結合ボディー４と前記第２ターミナル結合ボディー５は、互いに対として結合する。その結果、前記フォンデータターミナル２とＵＳＢターミナル３を互いに結束させる機能を果たす。図面を参照すると、前記フォンデータターミナル２のポート挿入部２２と前記ＵＳＢターミナル３のポート挿入部３２とが向かい合うように、前記第１ターミナル結合ボディー４と前記第２ターミナル結合ボディー５は、互いに重ね合わされて円柱状となるように互いに結合する。
【００２９】
互いに重ね合わされて結合する前記第１ターミナル結合ボディー４と前記第２ターミナル結合ボディー５との結合のために、前記第１ターミナル結合ボディー４と第２ターミナル結合ボディー５それぞれには、重ね合わされた状態で互いに突き合わせられる突き合わせ面４１、５１が備えられるが、図示した実施形態の場合、断面半円形の柱形状を有する前記第１ターミナル結合ボディー４と前記第２ターミナル結合ボディー５が互いに結合して円柱状となるように互いに突き合わせられる前記第１ターミナル結合ボディー４と前記第２ターミナル結合ボディー５の平面が前記突き合わせ面４１、５１に該当する。また、前記突き合わせ面４１、５１が互いに突き合わせられるように重ね合わされた状態で、前記第１ターミナル結合ボディー４と前記第２ターミナル結合ボディー５に一定以上の力が加わる場合にのみ分離されるように互いに結合させるための構成が、前記突き合わせ面４１、５１に備えられる。すなわち、前記第１ターミナル結合ボディー４の突き合わせ面４１には、その突き合わせ面４１の縁部に沿って嵌合突起４２が設けられ、前記第２ターミナル結合ボディー５の突き合わせ面５１には、その突き合わせ面５１の縁部に沿って前記嵌合突起４１に嵌合される嵌合凹部５２が設けられる。よって、前記突き合わせ面４１、５１が互いに突き合わせられながら前記嵌合突起４１が前記嵌合凹部５２に嵌合されることにより、前記第１ターミナル結合ボディー４と前記第２ターミナル結合ボディー５は、互いに結合した状態を維持し、一定以上の力が加わる場合にのみ分離される。
【００３０】
前記ターミナルカバー６は、前記第１ターミナル結合ボディー４と前記第２ターミナル結合ボディー５が上述のように円柱状となるように互いに結合した状態で向かい合うポート挿入部２２、３２を全てカバーするための構成である。図面を参照すると、前記ターミナルカバー６は、一方側が開放された入口を有する円柱状に形成される。前記ターミナルカバー６は、前記フォンデータターミナル２のポート挿入部２２と前記ＵＳＢターミナル３のポート挿入部３２が向かい合うように前記第１ターミナル結合ボディー４と前記第２ターミナル結合ボディー５が重ね合わされた状態で向かい合うポート挿入部２２、３２を全てカバーするように、互いに重ね合わされて結合した第１ターミナル結合ボディー４と第２ターミナル結合ボディー５に結合する。すなわち、互いに重ね合わされて結合した状態の前記第１ターミナル結合ボディー４と第２ターミナル結合ボディー５は、向かい合うポート挿入部が突出した側の縁部が前記ターミナルカバー６の入口に挿入されることにより、前記ターミナルカバー６と結合する。一方、前記第１ターミナル結合ボディー４と第２ターミナル結合ボディー５が互いに結合した状態で前記ターミナルカバー６が結合して、一定以上の力が加わる場合にのみターミナルカバー６が分離されるようにするための構成が、前記第１ターミナル結合ボディー４、第２ターミナ結合ボディー５および前記ターミナルカバー６に備えられる。図面を参照すると、前記ターミナルカバー６の入口に挿入される前記第１ターミナル結合ボディー４と第２ターミナル結合ボディー５それぞれの縁部には係止溝４３、５３が設けられる。この係止溝４３、５３は、前記第１ターミナル結合ボディー４と第２ターミナル結合ボディー５が円柱状となるように重ね合わされた状態では、前記第１ターミナル結合ボディー４および第２ターミナル結合ボディー５の縁部に沿って一周する溝を形成することになる。そして、前記第１ターミナル結合ボディー４と第２ターミナル結合ボディー５の縁部が挿入される前記ターミナルカバー６の入口の内側縁には、前記係止溝４３、５３に挿入されて係止される係止突起６１が環状に設けられる。これにより、互いに重ね合わされた状態で前記第１ターミナル結合ボディー４および第２ターミナル結合ボディー５の縁部が前記ターミナルカバー６の入口に挿入されながら、前記係止突起６１が前記係止溝４３、５３に挿入されて係止されることにより、前記ターミナルカバー６は、一定以上の力が加えられる前には、前記第１ターミナル結合ボディー４と第２ターミナル結合ボディー５から分離せず結合状態を維持する。
【００３１】
一方、前記第１ターミナル結合ボディー４と第２ターミナル結合ボディー５とは結合しながら前記コネクタケーブル１が二重に重ね合わされるが、前記締め付けリング７は、前記コネクタケーブル１の重なり合った部分が互いに開かないように締め付けるための構成である。前記コネクタケーブル１の二重に重ね合わされた部分は、前記締め付けリング７に挿入されて締め付けられる。前記締め付けリング７は、環状だが、前記コネクタケーブル１が容易に挿入され、この挿入された状態でコネクタケーブル１の重なり合った部分をよく締め付けるように弾性材質から形成されることが好ましい。
【００３２】
前記ケーブルフォルダー８は、前記コネクタケーブル１が二重に重ね合わされるように折り畳まれた状態で、その折り畳まれた部分が露出しないように、その折り畳まれた部分に結合する構成であって、フォルダーボディー８１とフォルダーカバー８２から構成される。
【００３３】
前記フォルダーボディー８１は、前記コネクタケーブル１の折り畳まれた部分が結合する構成である。前記フォルダーボディー８１には、前記コネクタケーブル１が二重に重ね合わされるように折り畳まれた状態で、その折り畳まれた部分の両分岐１ａ、１ｂそれぞれが挿入される一対の通過ホール８１ａ、８１ｂが設けられる。
【００３４】
前記フォルダーカバー８２は、前記コネクタケーブル１の折り畳まれた部分をカバーするように前記フォルダーボディー８１に結合する構成である。前記コネクタケーブル１の折り畳まれた部分の両分岐１ａ、１ｂそれぞれが前記通過ホール８１ａ、８１ｂそれぞれに挿入された状態で、前記フォルダーカバー８２は前記コネクタケーブル１の折り畳まれた部分をカバーするように前記フォルダーボディー８１に結合する。
【００３５】
一方、前記フォルダーボディー８１とフォルダーカバー８２の結合および解体のために、前記フォルダーボディー８１には、弾性を持つ係合フック８３が設けられ、前記フォルダーカバー８２には、前記係合フック８３が挿入されて係止されるフック溝８４が設けられる。
【００３６】
前記連結ワイヤー９は、スマートフォン用ＵＳＢコネクタをスマートフォンＳと一緒に携帯することができるようにし、スマートフォンＳのアクセサリーとして前記スマートフォンＳに連結するための構成である。図面を参照すると、前記連結ワイヤー９は、一端が前記ケーブルフォルダー８のフォルダーカバー８２に連結され、他端は前記スマートフォンＳに連結されることにより、本発明に係るスマートフォン用ＵＳＢコネクタをスマートフォンＳにぶら下げるように連結する。
【００３７】
一方、前記連結ワイヤー９は、前記スマートフォンＳにワイヤーを結束して連結することができるが、本発明は、前記連結ワイヤー９をスマートフォンＳに連結または分離することが容易となるよう、前記連結ワイヤー９の他端に挿入ピン９１を備えることを特徴とする。すなわち、前記連結ワイヤー９の他端には、スマートフォンＳのピンホールＳ２に挿着される挿入ピン９１が連結され、前記連結ワイヤー９の他端と前記スマートフォンＳとの連結は、前記挿入ピン９１を前記スマートフォンＳのピンホールＳ２に挿入することにより行われる。前記ピンホールＳ２は、前記スマートフォンＳに設けられた孔であり、前記ピンホールＳ２としては、イヤホン端子が挿入される端子挿入ホールを使用してもよい。
【００３８】
図８は本発明の第２実施形態に係るスマートフォン用ＵＳＢコネクタを示す斜視図である。図８に示した第２実施形態に係るスマートフォン用ＵＳＢコネクタは、図１〜図５にした第１実施形態に係るスマートフォン用ＵＳＢコネクタとは形状または機能が全般的に類似する。よって、以下では、第１実施形態との相違点を中心に第２実施形態に係るスマートフォン用ＵＳＢコネクタを説明する。
【００３９】
本発明の第２実施形態に係るスマートフォン用ＵＳＢコネクタは、第１ターミナル結合ボディー１１１と第２ターミナル結合ボディー１１２が互いに重ね合わされた状態で、ターミナルカバー１１３がネジ締結によって結合するという点に特徴を持つ。すなわち、前記ターミナルカバー１１３の入口の内側面には雌ねじ１１３ａが形成され、互いに重ね合わされた状態で前記ターミナルカバー１１３の入口に挿入される前記第１ターミナル結合ボディー１１１および第２ターミナル結合ボディー１１２の縁部には前記ターミナルカバー１１３の入口の内側縁に形成された雌ねじ１１３ａに螺合される雄ねじ１１１ａ、１１２ａが形成されたことを特徴とする。
【００４０】
また、本発明の第２実施形態に係るスマートフォン用ＵＳＢコネクタは、コネクタケーブル１１４の折り畳まれた部分に結合するケーブルフォルダー１１５の結合方式がネジ締結であるという特徴を持つ。すなわち、前記ケーブルフォルダー１１５のフォルダーボディー１１６とフォルダーカバー１１７の結合および解体のために、前記フォルダーボディー１１６の一端部の入口の内側面には雌ねじ１１６ａが形成され、前記フォルダーカバー１１７の一端部の外側面には前記フォルダーボディー１１６の雌ねじ１１６ａに螺合される雄ねじ１１７ａが形成された構造を持つ。
【符号の説明】
【００４１】
１    コネクタケーブル
２    フォンデータターミナル
２１    ターミナルボディー部
２２    ポート挿入部
３    ＵＳＢターミナル
３１    ターミナルボディー部
３２    ポート挿入部
４    第１ターミナル結合ボディー
４１    突き合わせ面
４２    嵌合突起
４３    係止溝
５    第２ターミナル結合ボディー
５１    突き合わせ面
５２    嵌合凹部
５３    係止溝
６    ターミナルカバー
６１    係止突起
７    締め付けリング
８    ケーブルフォルダー
８１    フォルダーボディー
８１ａ、８１ｂ    通過ホール
８２    フォルダーカバー
９    連結ワイヤー
９１    挿入ピン
Ｓ    スマートフォン
Ｃ    コンピュータ
【図１】
2016177983.tif 000003
【図２】
2016177983.tif 000004
【図３】
2016177983.tif 000005
【図４】
2016177983.tif 000006
【図５】
2016177983.tif 000007
【図６】
2016177983.tif 000008
【図７】
2016177983.tif 000009
【図８】
2016177983.tif 000010